【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
ポートレット・コンテンツを表示するためのクライアント・コンピュータ・システムであって、
前記コンピュータ・システムのコンポーネントによって提供されるコンテンツをそれぞれ表示する１つ以上のビュー・ウィンドウを含むページを表示するためのユーザ・インターフェースと、
ポートレット・コンテンツに対する要求を処理するための、１つ以上のポートレットをインストールしているポートレット・サーバと、
前記ポートレット・サーバにインストールされたポートレットに関連して、前記関連ポートレットを制御して、ビュー・ウィンドウ内に関連ポートレットからのコンテンツを表示するためのウェブ・ブラウザを実行するためのポートレット・ビュー・ツールとを備える、システム。
【請求項２】
クライアント・プラットフォームを実行するための手段を備え、前記ユーザ・インターフェースは、前記クライアント・プラットフォームに登録されたプラグイン・コンポーネントによって与えられたビューの表示を許可する、請求項１に記載のクライアント・コンピュータ・システム。
【請求項３】
複数のポートレット・ビュー・ツールを備え、それぞれが、ポートレット・サーバ上にインストールされたポートレットに関連している、請求項１または２に記載のクライアント・コンピュータ・システム。
【請求項４】
前記ポートレット・ビュー・ツールは、前記ポートレットに関連し、かつ、ビューを前記クライアント・コンピュータ・システムに与えるように構成可能なポートレット・ビュー・プラグインを備える、請求項１〜３のいずれかに記載のクライアント・コンピュータ・システム。
【請求項５】
１つ以上のポートレットをそれぞれインストールしている複数のポートレット・サーバを備える、請求項１〜４のいずれかに記載のクライアント・コンピュータ・システム。
【請求項６】
前記ポートレット・ビュー・ツールは、該当するポータル・サーバ上での前記関連ポートレットとの対話を可能にするためのポートレット・インターフェースを備える、請求項５に記載のクライアント・コンピュータ・システム。
【請求項７】
前記ポートレット・ビュー・ツールは、ポートレット・コンテンツを表示する前記ビュー・ウィンドウに対してフレームを提供するように構成可能である、請求項１〜６のいずれかに記載のクライアント・コンピュータ・システム。
【請求項８】
ポートレット・ビュー・ウィンドウの前記フレーム上に表示するためのコントロール・ボタンを与えるコンポーネントをさらに備える、請求項７に記載のクライアント・コンピュータ・システム。
【請求項９】
コントロール・ボタンのユーザ選択を検出するためのアクション・ハンドラをさらに備える、請求項８に記載のクライアント・コンピュータ・システム。
【請求項１０】
前記アクション・ハンドラは、検出されたユーザ選択を前記ポートレット・ビュー・ツールへ通信するための手段を備える、請求項９に記載のクライアント・コンピュータ・システム。
【請求項１１】
前記ウェブ・ブラウザを実行するためのコードを前記ポートレット・ビュー・ツールに与えるコンポーネントをさらに備える、請求項１〜１０のいずれかに記載のクライアント・コンピュータ・システム。
【請求項１２】
前記ユーザ・インターフェースは、ポータル・テンプレートをユーザに提供するように動作可能である、請求項１〜１１のいずれかに記載のクライアント・コンピュータ・システム。
【請求項１３】
クライアント・プラットフォームを実行するための手段を備え、前記ポートレット・ビュー・ツールは、前記クライアント・プラットフォームへ拡張として与えられるポートレット・インターフェースおよびポートレット・ビューを備える、請求項１〜１２のいずれかに記載のクライアント・コンピュータ・システム。
【請求項１４】
前記ポートレット・ビュー・ツールは、前記ポートレット・ビュー・ウィンドウ内に表示するために前記ウェブ・ブラウザによって要求されるポートレット・コンテンツについてのＵＲＬを判断するための手段を備える、請求項１〜１３のいずれかに記載のクライアント・コンピュータ・システム。
【請求項１５】
ポートレット・インストール・ツールをさらに備える、先行する請求項のいずれかに記載のクライアント・コンピュータ・システム。
【請求項１６】
ポートレット・ビュー・ツールが、ポートレット・サーバ上にインストールされた各ポートレットに対して提供される、請求項１〜１５のいずれかに記載のクライアント・コンピュータ・システム。
【請求項１７】
クライアント・コンピュータ・システムを使用して表示ページ上にポートレット・コンテンツを表示する方法であって、
前記コンピュータ・システムのコンポーネントによって提供されるコンテンツをそれぞれ表示する１つ以上のビュー・ウィンドウを含むページを表示するためのユーザ・インターフェースを提供するステップと、
クライアント・コンピュータ・システムにおいて、ポートレット・コンテンツに対する要求を処理するための、１つ以上のポートレットをインストールしているポートレット・サーバを提供するステップと、
表示ページ上に表示するためにポートレットを選択するステップと、
前記表示ページ上にビュー・ウィンドウを提供して、その内部においてウェブ・ブラウザを実行するステップと、
前記ウェブ・ブラウザを介して前記ポートレット・サーバ上にインストールされた前記選択されたポートレットからウェブ・コンテンツを要求するステップと、
提供された前記ビュー・ウィンドウ内の前記表示ページ上に受信された前記ウェブ・コンテンツを表示するステップと
を含む、方法。
【請求項１８】
クライアント・コンピュータ・システム上でポートレットをインストールするための方法であって、前記クライアント・コンピュータ・システムは、前記コンピュータ・システムのコンポーネントによって提供されるコンテンツをそれぞれ表示する１つ以上のビュー・ウィンドウを含むページを表示するためのユーザ・インターフェースを有し、
ポートレット・コンテンツに対する要求を処理するためのポートレット・サーバを提供するステップと、
ポートレットのユーザ選択に応じて、前記選択されたポートレットを前記ポートレット・サーバにインストールするステップと、
前記選択されたポートレットに関連したポートレット・ビュー・ツールを生成するステップとを含み、前記ポートレット・ビュー・ツールは、ビュー・ウィンドウ内に関連ポートレットからのコンテンツを表示するためのウェブ・ブラウザを実行して、前記関連ポートレットを制御するように動作可能である、方法。
【請求項１９】
クライアント・コンピュータ・システムと共に使用されるソフトウェア・ツールであって、前記クライアント・コンピュータ・システムは、前記コンピュータ・システムのコンポーネントによって提供されるコンテンツをそれぞれ表示する１つ以上のビュー・ウィンドウを含むページを表示するためのユーザ・インターフェースと、ポートレット・コンテンツに対する要求を処理するためのポートレット・サーバとを備え、前記ポートレット・サーバは、１つ以上のポートレットをインストールしており、
前記ソフトウェア・ツールは、前記ポートレット・サーバにインストールされたポートレットに関連して、前記関連ポートレットを制御して、ビュー・ウィンドウに内に関連ポートレットからのコンテンツを表示するためのウェブ・ブラウザを実行するように動作可能なポートレット・ビュー・ツールを備える、ソフトウェア・ツール。
【請求項２０】
請求項１７〜１８のいずれかに記載の方法の各ステップをコンピュータに実行させるコンピュータ・プログラム。